(57)【要約】      （修正有）【課題】簡素かつ安価な回路構成を用いて照明灯の点滅の周期又は点消灯の周期を時間の経過とともにデジタル制御し、当該照明灯の光量を増加させる。【解決手段】子機１ａ、１ｂの光量制御部を構成する照明灯駆動回路１０８ａ、１０８ｂ及び子機制御回路１１０ａ、１１０ｂにより、カメラ１０１ａ、１０１ｂにて撮像される映像の明るさを確保するために点灯される照明灯１０２ａ、１０２ｂの点滅の周期をＰＦＭ駆動して点滅の周期を時間の経過に伴い変化させる、又は照明灯の点消灯の周期をＰＷＭ駆動して点消灯の周期を時間の経過に伴い変化させることで、当該照明灯の光量を増加させる。【選択図】図２
2012175609.tif 000002
【特許請求の範囲】
【請求項１】
カメラ（１０１ａ、１０１ｂ、１０１ｃ）を有する子機（１ａ、１ｂ、１ｃ）と、前記子機のカメラにて撮像された被写体の映像を出画するためのモニタ（２０１）を有する親機（２）とを備えるテレビドアホン装置であって、
前記子機には、前記カメラにて撮像される映像の明るさを確保するために点灯される照明灯（１０２ａ、１０２ｂ、１０２ｃ）と、前記被写体又は前記カメラにて撮像される映像の明るさを検出するための照度検出回路（１０７ａ、１０７ｂ、１０７ｃ）と、前記照度検出回路にて検出される前記明るさが第１の照度レベル未満であるとき前記照明灯の駆動を開始させ、前記照明灯の駆動後に前記照度検出回路にて検出される前記明るさが第２の照度レベル未満であるとき前記照明灯の光量を時間の経過に伴い増加させるとともに、前記照度検出回路にて検出される前記明るさが前記第２の照度レベルに到達したとき、前記光量の増加動作を停止して到達時の光量で保持するための光量制御部（１０８ａ、１０８ｂ、１０８ｃ、１１０ａ、１１０ｂ、１１０ｃ）とを備えることを特徴とするテレビドアホン装置。
【請求項２】
カメラ（１０１ａ）を有する子機（１ａ）と、前記子機のカメラにて撮像された被写体の映像を出画するためのモニタ（２０１）を有する親機（２）とを備えるテレビドアホン装置であって、
前記子機には、前記カメラにて撮像される映像の明るさを確保するために点灯される照明灯（１０２ａ）と、前記被写体又は前記カメラにて撮像される映像の明るさを検出するための照度検出回路（１０７ａ）と、前記照度検出回路にて検出される前記明るさが第１の照度レベル未満であるとき前記照明灯の駆動を開始させ、前記照明灯の駆動後に前記照度検出回路にて検出される前記明るさが第２の照度レベル未満であるとき前記照明灯の点滅の周期（ｆ１、ｆ２）をＰＦＭ駆動して前記点滅の周期を時間の経過に伴い変化させることで当該照明灯の光量を増加させるとともに、前記照度検出回路にて検出される前記明るさが前記第２の照度レベルに到達したとき、前記光量の増加動作を停止して到達時の光量で保持するための光量制御部（１０８ａ、１１０ａ）とを備えることを特徴とするテレビドアホン装置。
【請求項３】
前記光量制御部は、前記照明灯の点滅の周期が予め設定された最大の光量となる点滅の周期に到達したとき当該到達時の光量で保持することを特徴とする請求項２記載のテレビドアホン装置。
【請求項４】
カメラ（１０１ｂ）を有する子機（１ｂ）と、前記子機のカメラにて撮像された映像を出画するためのモニタ（２０１）を有する親機（２）とを備えるテレビドアホン装置であって、
前記子機には、前記カメラにて撮像される映像の明るさを確保するために点灯される照明灯（１０２ｂ）と、前記被写体又は前記カメラにて撮像される映像の明るさを検出するための照度検出回路（１０７ｂ）と、前記照度検出回路にて検出される前記明るさが第１の照度レベル未満であるとき前記照明灯の駆動を開始させ、前記照明灯の駆動後に前記照度検出回路にて検出される前記明るさが第２の照度レベル未満であるとき前記照明灯の点消灯の周期（ｔ１、ｔ２）をＰＷＭ駆動して前記点消灯の周期を時間の経過に伴い変化することで当該照明灯の光量を増加させるとともに、前記照度検出回路にて検出される前記明るさが前記第２の照度レベルに到達したとき、前記光量の増加動作を停止して到達時の光量で保持するための光量制御部（１０８ｂ、１１０ｂ）とを備えることを特徴とするテレビドアホン装置。
【請求項５】
前記光量制御部は、前記照明灯の点消灯の周期が予め設定された最大の光量となる点滅の周期に到達したとき当該到達時の光量で保持することを特徴とする請求項４記載のテレビドアホン装置。
【請求項６】
カメラ（１０１ｃ）を有する子機（１ｃ）と、前記子機のカメラにて撮像された映像を出画するためのモニタ（２０１）を有する親機（２）とを備えるテレビドアホン装置であって、
前記子機には、前記カメラにて撮像される映像の明るさを確保するために点灯される照明灯（１０２ｃ）と、前記被写体又は前記カメラにて撮像される映像の明るさを検出するための照度検出回路（１０７ｃ）と、前記照度検出回路にて検出される前記明るさが第１の照度レベル未満であるとき前記照明灯の駆動を開始させ、前記照明灯の駆動後に前記照度検出回路にて検出される前記明るさが第２の照度レベル未満であるとき、前記照明灯の電圧振幅（Ａ１、Ａ２、・・・Ａ３）をＰＡＭ駆動して前記電圧振幅を時間の経過に伴い変化することで当該照明灯の光量を増加させるとともに、前記照度検出回路にて検出される前記明るさが前記第２の照度レベルに到達したとき、前記光量の増加動作を停止して到達時の光量で保持するための光量制御部（１０８ｃ、１１０ｃ）とを備えることを特徴とするテレビドアホン装置。
【請求項７】
前記光量制御部は、前記照明灯の電圧振幅が予め設定された最大の電圧振幅に到達したとき当該到達時の光量で保持することを特徴とする請求項６記載のテレビドアホン装置。
【請求項８】
前記第２の照度レベルは、前記第１の照度レベルよりも高いものであることを特徴とする請求項１乃至請求項７のうち何れか１項記載のテレビドアホン装置。
【請求項９】
前記照度検出回路は、前記カメラに内蔵される撮像素子で兼用することを特徴とする請求項１乃至請求項８のうち何れか１項記載のテレビドアホン装置。
【発明の詳細な説明】
【技術分野】
【０００１】
本発明は、子機のカメラにて撮像された映像を親機のモニタに出画するテレビドアホン装置に係り、特に、カメラにて撮像される映像の明るさを確保するために点灯される照明灯の光量を、時間の経過とともに変化させることができるテレビドアホン装置に関する。
【背景技術】
【０００２】
従来から、夜間時等においてカメラにて撮像される映像の明るさを確保するために照明灯を点灯させるにあたり、来訪者等の人物の目に対する過度な刺激を抑えるため、照明灯の光量を時間の経過とともに増加させる種々の手段が開示されている（例えば、特許文献１を参照。）。
【先行技術文献】
【特許文献】
【０００３】
【特許文献１】特許第３５８６０７１号公報
【発明の概要】
【発明が解決しようとする課題】
【０００４】
背景技術に記載した特許文献１のカラーテレビドアホン装置によれば、コンデンサが有する充電特性を利用して照明ＬＥＤの光量の時間的な変化を制御しているため、部品点数の増加やコンデンサ容量の公差によって、その変化が変動していた。
【０００５】
また、特許文献１のカラーテレビドアホン装置において、照明ＬＥＤの光量の変化の最大値は一定であり、被写体の明るさに関係なく最大の光量で点灯されるものであった。
【０００６】
さらに、近年より、照明用の素子として多用されているＬＥＤを同一な電流で点灯させた場合、発光時の輝度にはバラツキがあり、照度の確保のためには、通常、低輝度の当該ＬＥＤでの発光電流に設定されているため、高輝度の当該ＬＥＤが使用された場合には過多な光量の発光となり、来訪者等の人物の目に対する過度な刺激となるばかりでなく、ＬＥＤの照射範囲における被写体の照度も必要以上に大きくなるため、照射範囲外の被写体照度とのバランスが崩れ、撮像される映像が部分的に飽和（「白飛び」）し易くなる等の難点があった。
【０００７】
本発明は、これらの難点を解消するためになされたもので、簡素かつ安価な回路構成を用いて照明灯の点滅の周期、点消灯の周期又は電圧振幅を時間の経過とともに制御し、当該照明灯の光量を可変させることにより、照明灯の駆動時における輝度バラツキを抑えてカメラにて撮像される映像の視認性を高めたテレビドアホン装置を提供することを目的としている。
【課題を解決するための手段】
【０００８】
前述の目的を達成するため、本発明の第１の態様であるテレビドアホン装置は、カメラを有する子機と、子機のカメラにて撮像された被写体の映像を出画するためのモニタを有する親機とを備えるテレビドアホン装置である。子機には、カメラにて撮像される映像の明るさを確保するために点灯される照明灯と、被写体又はカメラにて撮像される映像の明るさを検出するための照度検出回路と、照度検出回路にて検出される明るさが第１の照度レベル未満であるとき照明灯の駆動を開始させ、照明灯の駆動後に照度検出回路にて検出される明るさが第２の照度レベル未満であるとき照明灯の光量を時間の経過に伴い増加させるとともに、照度検出回路にて検出される明るさが第２の照度レベルに到達したとき、光量の増加動作を停止して到達時の光量で保持するための光量制御部とを備えている。
【０００９】
また、本発明の第２の態様であるテレビドアホン装置は、カメラを有する子機と、子機のカメラにて撮像された被写体の映像を出画するためのモニタを有する親機とを備えている。子機には、カメラにて撮像される映像の明るさを確保するために点灯される照明灯と、被写体又はカメラにて撮像される映像の明るさを検出するための照度検出回路と、照度検出回路にて検出される明るさが第１の照度レベル未満であるとき照明灯の駆動を開始させ、照明灯の駆動後に照度検出回路にて検出される明るさが第２の照度レベル未満であるとき照明灯の点滅の周期をＰＦＭ駆動して点滅の周期を時間の経過に伴い変化させることで当該照明灯の光量を増加させるとともに、照度検出回路にて検出される明るさが第２の照度レベルに到達したとき、光量の増加動作を停止して到達時の光量で保持するための光量制御部とを備えている。
【００１０】
また、本発明の第３の態様であるテレビドアホン装置は、本発明の第２の態様において、光量制御部は、照明灯の点滅の周期が予め設定された最大の光量となる点滅の周期に到達したとき当該到達時の光量で保持するものである。
【００１１】
また、本発明の第４の態様であるテレビドアホン装置は、カメラを有する子機と、子機のカメラにて撮像された映像を出画するためのモニタを有する親機とを備えている。子機には、カメラにて撮像される映像の明るさを確保するために点灯される照明灯と、被写体又はカメラにて撮像される映像の明るさを検出するための照度検出回路と、照度検出回路にて検出される第１の照度レベル未満であるとき照明灯の駆動を開始させ、照明灯の駆動後に照度検出回路にて検出される明るさが第２の照度レベル未満であるとき照明灯の点消灯の周期をＰＷＭ駆動して点消灯の周期を時間の経過に伴い変化することで当該照明灯の光量を増加させるとともに、照度検出回路にて検出される明るさが第２の照度レベルに到達したとき、光量の増加動作を停止して到達時の光量で保持するための光量制御部とを備えている。
【００１２】
また、本発明の第５の態様であるテレビドアホン装置は、本発明の第４の態様において、光量制御部は、照明灯の点消灯の周期が予め設定された最大の光量となる点滅の周期に到達したとき当該到達時の光量で保持するものである。
【００１３】
また、本発明の第６の態様であるテレビドアホン装置は、カメラを有する子機と、子機のカメラにて撮像された映像を出画するためのモニタを有する親機とを備えるテレビドアホン装置である。子機には、カメラにて撮像される映像の明るさを確保するために点灯される照明灯と、被写体又はカメラにて撮像される映像の明るさを検出するための照度検出回路と、照度検出回路にて検出される明るさが第１の照度レベル未満であるとき照明灯の駆動を開始させ、照明灯の駆動後に照度検出回路にて検出される明るさが第２の照度レベル未満であるとき、照明灯の電圧振幅をＰＡＭ駆動して電圧振幅を時間の経過に伴い変化することで当該照明灯の光量を増加させるとともに、照度検出回路にて検出される明るさが第２の照度レベルに到達したとき、光量の増加動作を停止して到達時の光量で保持するための光量制御部とを備えている。
【００１４】
また、本発明の第７の態様であるテレビドアホン装置は、本発明の第６の態様において、光量制御部は、照明灯の電圧振幅が予め設定された最大の電圧振幅に到達したき当該到達時の光量で保持するものである。
【００１５】
また、本発明の第８の態様であるテレビドアホン装置は、本発明の第１の態様乃至第７の態様において、第２の照度レベルは、第１の照度レベルよりも高いものである。
【００１６】
また、本発明の第９の態様であるテレビドアホン装置は、本発明の第１の態様乃至第８の態様において、照度検出回路は、カメラに内蔵される撮像素子で兼用するものである。
【発明の効果】
【００１７】
本発明のテレビドアホン装置によれば、子機のカメラにて撮像される映像の明るさを確保するために点灯される照明灯の点滅の周期、点消灯の周期又は電圧振幅を、簡素かつ安価な回路構成を用いて時間の経過とともに制御することにより、当該照明灯の光量を可変させることができるため、照明灯の駆動時における輝度バラツキによる来訪者等の人物の目に対する過度な刺激を抑えて最適な光量の確保が可能となることにより、カメラにて撮像される映像の視認性が高められるばかりでなく、必要以上に大きな光量とせずに最適な光量での保持が可能となるために過多な電力消費が抑えられて省電力化を図ることもできる。
【図面の簡単な説明】
【００１８】
【図１】図１は、本発明の第１乃至第３の実施例によるテレビドアホン装置の全体構成を示すシステム説明図である。
【図２】図２は、本発明の第１、第２の実施例によるテレビドアホン装置の具体的な構成を示す回路ブロック図である。
【図３】図３は、本発明の第３の実施例によるテレビドアホン装置の具体的な構成を示す回路ブロック図である。
【図４】図４（Ａ）、（Ｂ）、（Ｃ）はそれぞれ、本発明の第１の実施例によるテレビドアホン装置において照明灯の駆動制御のために適用されるパルス波形図、動作フローチャート図、時間−明るさ特性図である。
【図５】図５（Ａ）、（Ｂ）、（Ｃ）はそれぞれ、本発明の第２の実施例によるテレビドアホン装置において照明灯の駆動制御のために適用されるパルス波形図、動作フローチャート図、時間−明るさ特性図である。
【図６】図６（Ａ）、（Ｂ）、（Ｃ）はそれぞれ、本発明の第３の実施例によるテレビドアホン装置において照明灯の駆動制御のために適用されるパルス波形図、動作フローチャート図、時間−明るさ特性図である。
【発明を実施するための形態】
【００１９】
以下、本発明のテレビドアホン装置を適用した実施の形態例について、図面を参照して説明する。
【００２０】
図１は、本発明の第１乃至第３の実施例によるテレビドアホン装置の全体構成図である。このテレビドアホン装置には、玄関、エントランス等の屋外に設置される子機（以下、第１乃至第３の子機という。）１ａ、１ｂ、１ｃと、住戸内に設置され子機・親機ラインＬを経由して第１乃至第３の子機１ａ、１ｂ、１ｃに接続される親機２とで構成されている。
【００２１】
同図に示す第１乃至第３の子機１ａ、１ｂ、１ｃには、子機操作部１００ａ、１００ｂ１００ｃ、カメラ１０１ａ、１０１ｂ、１０１ｃ、照明灯１０２ａ、１０２ｂ、１０２ｃ、子機マイク１０３ａ、１０３ｂ、１０３ｃ及び子機スピーカ１０４ａ、１０４ｂ、１０４ｃが備えられている。
【００２２】
この第１乃至第３の子機１ａ、１ｂ、１ｃにおいて、子機操作部１００ａ、１００ｂ、１００ｃは、玄関、エントランス等の住戸外に居る来訪者が住戸内に在室中の居住者を呼出すために操作するものであり、例えば、呼出ボタンにて構成されている。また、カメラ１０１ａ、１０１ｂ、１０１ｃは、被写体である例えば、呼出操作を行った来訪者や住戸外における当該子機の周囲近傍の映像（監視映像を含む。）を撮像するためのものであり、例えば、ＣＣＤ、ＣＭＯＳ等の撮像素子にて構成されている。また、照明灯１０２ａ、１０２ｂ、１０２ｃは、カメラ１０１ａ、１０１ｂ、１０１ｃにて撮像される映像の明るさを確保するために点灯されるものであり、白色光のような可視光を発光する発光体、ここでは、図２、図３に示す（発光）ＬＥＤ１２０ａ、１２０ｂ、１２０ｃにて構成されている。さらに、子機マイク１０３ａ、１０３ｂ、１０３ｃ及び子機スピーカ１０４ａ、１０４ｂ、１０４ｃは、来訪者が居住者との間で通話を成立させるための音声（送話音声、受話音声）を入出力するものである。
【００２３】
また、同図に示す親機２には、親機操作部２００、モニタ２０１、親機マイク２０２及び親機スピーカ２０３が備えられている。
【００２４】
この親機２において、親機操作部２００は、居住者が来訪者からの呼出しに応答して親機マイク２０２及び親機スピーカ２０３の使用による通話を開始する応答操作又は当該通話を終了するための終話操作や、居住者が第１乃至第３の子機１ａ、１ｂ、１ｃの照明灯１０２ａ、１０２ｂ、１０２ｃの駆動を開始させるための操作等を行うものであり、例えば、通話ボタン、照明ボタンやタッチパネルにて構成されている。また、モニタ２０１は、第１乃至第３の子機１ａ、１ｂ、１ｃのカメラ１０１ａ、１０１ｂ、１０１ｃにて撮像された映像を出画するためのものであり、例えば、ＬＣＤ、有機ＥＬディスプレイ等の表示・出画媒体にて構成され、このモニタ２０１は、来訪者による第１乃至第３の子機１ａ、１ｂ、１ｃからの呼出しを報知するための呼出報知機能も有している。さらに、親機マイク２０２及び親機スピーカ２０３は、居住者が来訪者の間で通話を成立させるための音声（送話音声、受話音声）を入出力するものであり、この親機スピーカ２０３は、来訪者による第１乃至第３の子機１ａ、１ｂ、１ｃからの呼出しを報知するための呼出報知機能も有している。
【００２５】
次に、本発明の第１、第２の実施例に適用される第１、第２の子機１ａ、１ｂ及び親機２の具体的な構成について図２のブロック図を参照して説明するとともに、第３の実施例に適用される第３の子機１ｃ及び親機２の具体的な構成については、図３のブロック図を参照して説明する。
【００２６】
図２に示す第１、第２の子機１ａ、１ｂには、前述の子機操作部１００ａ、１００ｂ、カメラ１０１ａ、１０１ｂ、照明灯１０２ａ、１０２ｂ、子機マイク１０３ａ、１０３ｂ及び子機スピーカ１０４ａ、１０４ｂと、子機映像処理回路１０５ａ、１０５ｂ、子機音声処理回路１０６ａ、１０６ｂ、照度検出回路１０７ａ、１０７ｂ、照明灯駆動回路１０８ａ、１０８ｂ、子機電源回路１０９ａ、１０９ｂ、子機制御回路１１０ａ、１１０ｂ及び子機Ｉ／Ｆ１１１ａ、１１１ｂとが備えられている。また、図３に示す第３の子機１ｃには、前述の子機操作部１００ｃ、カメラ１０１ｃ、照明灯１０２ｃ、子機マイク１０３ｃ及び子機スピーカ１０４ｃと、子機映像処理回路１０５ｃ、子機音声処理回路１０６ｃ、照度検出回路１０７ｃ、照明灯駆動回路１０８ｃ、子機電源回路１０９ｃ、子機制御回路１１０ｃ、子機Ｉ／Ｆ１１１ｃ及びＤ／Ａ変換回路１１２ｃとが備えられている。
【００２７】
この第１乃至第３の子機１ａ、１ｂ、１ｃにおいて、子機映像処理回路１０５ａ、１０５ｂ、１０５ｃは、カメラ１０１ａ、１０１ｂ、１０１ｃにて撮像された映像（映像信号）について所定の信号処理を行うものであり、例えば、ＦＭ変調や増幅を行うことができる。また、子機音声処理回路１０６ａ、１０６ｂ、１０６ｃは、子機マイク１０３ａ、１０３ｂ、１０３ｃ及び子機スピーカ１０４ａ、１０４ｂ、１０４ｃにて入出力される音声（音声信号）について所定の信号処理を行うものであり、例えば、音声（音声信号）の４線／２線変換や２線／４線変換を行うことができる。また、照度検出回路１０７ａ、１０７ｂ、１０７ｃは、前述の被写体又はカメラ１０１ａ、１０１ｂ、１０１ｃにて撮像される映像の明るさを検出するためのものであり、ここでは、カメラ１０１ａ、１０１ｂ、１０１ｃに内蔵される撮像素子で兼用されている。また、子機電源回路１０９ａ、１０９ｂ、１０９ｃは、親機２の後述する親機電源回路２０６から供給されてくる（子機用の）待受電源又は動作電源を受電し、当該子機の構成各部／回路に電源供給するためのものである。また、子機制御回路１１０ａ、１１０ｂ、１１０ｃは、当該子機の構成各部／回路を制御するためのものである。さらに、子機Ｉ／Ｆ１１１ａ、１１１ｂ、１１１ｃは、子機映像処理回路１０５ａ、１０５ｂ、１０５ｃから子機・親機ラインＬへの映像（映像信号）の信号伝送路、子機音声処理回路１０６ａ、１０６ｂ、１０６ｃ及び子機・親機ラインＬ間における音声（音声信号）の信号伝送路（通話路）、子機・親機ラインＬを経由して親機２から供給されてくる（子機用の）待受電源又は動作電源の子機電源回路１０９ａ、１０９ｂ、１０９ｃへの電源供給路、子機制御回路１１０ａ、１１０ｂ、１１０ｃ及び子機・親機ラインＬ間における制御用の信号伝送路をそれぞれ形成するためのものである。
【００２８】
また、本発明の第１の実施例に適用される第１の子機１ａの照明灯駆動回路１０８ａは、照度検出回路１０７ａにて検出される明るさが第１の照度レベル未満であるとき照明灯１０２ａの駆動を開始させ、照明灯１０２ａの駆動後に照度検出回路１０７ａにて検出される明るさが、この明るさとの対比において第１の照度レベルよりも高い第２の照度レベル未満であるとき、照明灯１０２ａの点滅の周期ｆをＰＦＭ（Pulse Frequency Modulation）駆動して点滅の周期ｆを時間の経過に伴い変化することで当該照明灯の光量を増加させるとともに、照度検出回路１０７ａにて検出される明るさが第２の照度レベルに到達したとき、光量の増加動作を停止して到達時の光量で保持し、さらには照明灯１０２ａの光量が増加しても第２の照度レベルに到達しない場合には、点滅の周期ｆが予め設定された最大の光量となる点滅の周期に到達したとき当該到達時の光量で保持するために、子機制御回路１１０ａにより制御されるものであって、トランジスタ（スイッチングトランジスタ）１８０ａ、抵抗（電流制限抵抗）１８１ａが備えられている。このトランジスタ１８０ａのベースは子機制御回路１１０ａ（の制御出力側）に、コレクタは抵抗１８１ａを経由してＬＥＤ１２０ａ（のカソード）に、エミッタは基準電位点にそれぞれ接続されている。
【００２９】
また、本発明の第２の実施例に適用される第２の子機１ｂの照明灯駆動回路１０８ｂは、照度検出回路１０７ｂにて検出される明るさが第１の照度レベル未満であるとき照明灯１０２ｂの駆動を開始させ、照明灯１０２ｂの駆動後に照度検出回路１０７ｂにて検出される明るさが、この明るさとの対比において第１の照度レベルよりも高い第２の照度レベル未満であるとき、照明灯１０２ｂの点消灯の周期をＰＷＭ（Pulse Width Modulation）駆動して点消灯の周期を時間の経過に伴い変化することで当該照明灯の光量を増加させるとともに、照度検出回路１０７ａにて検出される明るさが第２の照度レベルに到達したとき、光量の増加動作を停止して到達時の光量で保持し、さらには照明灯１０２ｂの光量が増加しても第２の照度レベルに到達しない場合には、点消灯の周期が予め設定された最大の光量となる点消灯の周期に到達したとき当該到達時の光量で保持するために、子機制御回路１１０ｂにより制御されるものであって、トランジスタ（スイッチングトランジスタ）１８０ｂ、抵抗（電流制限抵抗）１８１ｂが備えられている。このトランジスタ１８０ｂのベースは子機制御回路１１０ｂ（の制御出力側）に、コレクタは抵抗１８１ｂを経由してＬＥＤ１２０ｂ（のカソード）に、エミッタは基準電位点にそれぞれ接続されている。
【００３０】
また、本発明の第３の実施例に適用される第３の子機１ｃの照明灯駆動回路１０８ｃは、照度検出回路１０７ｃにて検出される明るさが第１の照度レベル未満であるとき照明灯１０２ｃの駆動を開始させ、照明灯１０２ｃの駆動後に照度検出回路１０７ｃにて検出される明るさが、この明るさとの対比において第１の照度レベルよりも高い第２の照度レベル未満であるとき、照明灯１０２ｃの電圧振幅ＡｎをＰＡＭ（Pulse Amplitude Modulation）駆動して電圧振幅Ａｎを時間の経過に伴い変化（Ａｎ＝Ａ１、Ａ２、・・・Ａ３）することで当該照明灯の光量を増加させるとともに、照度検出回路１０７ｃにて検出される明るさが第２の照度レベルに到達したとき、光量の増加動作を停止して到達時の光量で保持し、さらには照明灯１０２ｃの光量が増加しても第２の照度レベルに到達しない場合には、電圧振幅Ａｎが予め設定された最大の光量となる電圧振幅Ａｎ＝Ａ３に到達したとき当該到達時の光量で保持するために、子機制御回路１１０ｃにより制御されるものであって、トランジスタ（スイッチングトランジスタ）１８０ｃ、抵抗（電流制限抵抗）１８１ｃが備えられている。このトランジスタ１８０ｃのベースは、Ｄ／Ａ変換回路１１２ｃを経由して子機制御回路１１０ｃ（の制御出力側）に、コレクタは抵抗１８１ｃを経由してＬＥＤ１２０ｃ（のカソード）に、エミッタは基準電位点にそれぞれ接続されている。なお、子機制御回路１１０ｃには、前述の電圧振幅Ａｎ＝Ａ１、Ａ２、・・・Ａ３に係るデジタルデータが予め記憶されたテーブルＴＢが備えられている。
【００３１】
さらに、本発明の第３の実施例に適用される第３の子機１ｃのＤ／Ａ変換回路１１２ｃは、子機制御回路１１０ｃのテーブルＴＢから読み出されるデジタルデータをアナログ（Ｄ／Ａ）変換して照明灯駆動回路１０８ｃのトランジスタ１８０ｃのベースに入力させるためのものである。このＤ／Ａ変換回路１１２ｃについては、子機制御回路１１０ｃに内蔵させた態様で設けることもできる。
【００３２】
次に、図２、図３に示す親機２には、前述の親機操作部２００、モニタ２０１、親機マイク２０２及び親機スピーカ２０３と、親機映像処理回路２０４、親機音声処理回路２０５、親機電源回路２０６、親機制御回路２０７及び親機Ｉ／Ｆ２０８とが備えられている。
【００３３】
この親機２において、親機映像処理回路２０４は、子機・親機ラインＬ間を経由して第１乃至第３の子機１ａ、１ｂ、１ｃから伝送されてくる映像（映像信号）について所定の信号処理を行うものであり、例えば、ＦＭ復調や増幅を行うことができる。また、親機音声処理回路２０５は、親機マイク２０２及び親機スピーカ２０３にて入出力される音声（音声信号）について所定の信号処理を行うものであり、例えば、音声（音声信号）の４線／２線変換や２線／４線変換を行うことができる。また、親機電源回路２０６は、図示しない商用電源を整流・平滑して得られる直流電源をもとに（親機用の）待受電源又は動作電源を生成して当該親機の構成各部／回路に電源供給するとともに、（子機用の）待受電源又は動作電源を生成するためのものである。また、親機制御回路２０７は、当該親機の構成各部／回路を制御するためのものである。さらに、親機Ｉ／Ｆ２０８は、子機・親機ラインＬから親機映像処理回路２０４への映像（映像信号）の信号伝送路、親機音声処理回路２０５及び子機・親機ラインＬ間における音声（音声信号）の信号伝送路（通話路）、親機電源回路２０６から子機・親機ラインＬへの（子機用の）待受電源又は動作電源の電源供給路、親機制御回路２０７及び子機・親機ラインＬ間における制御用の信号伝送路をそれぞれ形成するためのものである。
【００３４】
このように構成された本発明の第１乃至第３の実施例によるテレビドアホン装置において、以下、具体的な動作について説明する。
【００３５】
最初に、本発明の第１の実施例によるテレビドアホン装置の具体的な動作について、図１、図２及び図４（Ａ）、（Ｂ）、（Ｃ）を参照して説明するにあたって、当該装置が待受状態であるとき、図２に示す親機２の親機電源回路２０６は、待受電源を生成して当該親機の構成各部／回路に電源供給している。また、親機電源回路２０６は、同様に生成した子機用の待受電源を、親機Ｉ／Ｆ２０８、子機・親機ラインＬ、第１の子機１ａの子機Ｉ／Ｆ１１１ａを経由して子機電源回路１０９ａに供給することにより、この子機電源回路１０９ａから当該子機の構成各部／回路に待受電源が電源供給されることになる。
【００３６】
前述の待受状態である例えば、夜間時等において、来訪者が居住者を呼出すにあたり、図１、図２に示す第１の子機１ａの子機操作部１００ａを使用して所定の呼出操作を行うと、この操作を検出した子機制御回路１１０ａにて呼出信号が生成される。また、子機制御回路１１０ａにて生成された呼出信号は、子機Ｉ／Ｆ１１１ａ、子機・親機ラインＬ、親機２の親機Ｉ／Ｆ２０８を経由して親機制御回路２０７に伝送される。
【００３７】
親機２の親機制御回路２０７は、子機・親機ラインＬを経由して第１の子機１ａから伝送されてきた呼出信号をもとに来訪者からの呼出しがあることを検出し、その旨の呼出報知について例えば、親機スピーカ２０３からの呼出音や音声メッセージ等の出力、モニタ２０１への文字メッセージや絵データ等の表示を利用して行うことができる。また、親機制御回路２０７は、親機電源回路２０６を制御して前述の待受電源よりも高い電圧レベルの動作電源を当該親機の構成各部／回路に電源供給するとともに、同様に電圧レベルが制御された子機用の動作電源を生成し、親機Ｉ／Ｆ２０８、子機・親機ラインＬ、第１の子機１ａの子機Ｉ／Ｆ１１１ａを経由して子機電源回路１０９ａに供給することにより、この子機電源回路１０９ａから当該子機の構成各部／回路に動作電源が電源供給されることになる。
【００３８】
次に、前述のような動作電源が電源供給されると、第１の子機１ａの子機制御回路１１０ａの制御によってカメラ１０１ａが能動となり、被写体である呼出操作を行った来訪者の映像（当該子機の周囲近傍の映像を含む。）の撮像が開始される（ステップＳＴ1a）。この映像は、子機映像処理回路１０５ａ、子機Ｉ／Ｆ１１１ａ、子機・親機ラインＬ、親機２の親機Ｉ／Ｆ２０８、親機映像処理回路２０４を経由してモニタ２０１に伝送されることにより、被写体である呼出操作を行った来訪者（当該子機の周囲近傍の映像を含む。）の映像のモニタ２０１への出画動作が開始されることになる。
【００３９】
また、前述のように第１の子機１ａのカメラ１０１ａが能動となると、このカメラ１０１ａに内蔵された撮像素子として兼用されている照度検出回路１０７ａにて被写体又は映像（映像信号）の明るさが検出される。その検出データをもとに、被写体又は映像信号の明るさが予め設定された第１の照度レベル未満であると子機制御回路１１０ａが判断すると、この子機制御回路１１０ａは、照明灯駆動回路１０８ａを経由した照明灯１０２ａへの駆動を開始し（ステップＳＴ2a、ＳＴ3a）、照明灯１０２ａを構成するＬＥＤ１２０ａの点滅の周期を図４（Ａ）に示す周期でＰＦＭ駆動させ、点滅の周期ｆを時間の経過に伴い変化するようにトランジスタ１２０ａへの出力パルスを制御する。具体的には、図４（Ａ）、（Ｃ）に示すように、実効的な光量が少ない早い点滅パターンの周期ｆ１をもとに微分処理を行い一定幅のパルスを算出した後、一定時間ｔ内にその数が増減するパルスの積分処理を行うことで直流成分を導き出すことにより、点滅の周期ｆが実効的な光量が大きい遅い点滅パターンの周期ｆ２に移行されるように制御（デジタル制御）することによって、時間の経過に伴い照明灯１０２ａの光量が増加される。一方、照度検出回路１０７ａの検出データが第１の照度レベル以上であり、前述の来訪者による呼出時である夜間時とは異なる例えば、昼間時等の明るいレベルであると子機制御回路１１０ａが判断した場合には、照明灯駆動回路１０８ａは何ら動作せず、ゆえに照明灯１０２ａは消灯のまま保持される（ステップＳＴ4a）。
【００４０】
また、第１の子機１ａの子機制御回路１１０ａは、照明灯１０２ａの駆動が開始された後のタイミングにおいて、前述のように照度検出回路１０７ａにて検出される被写体又は映像信号の明るさに係る検出データと、この明るさとの対比において第１の照度レベルよりも高く予め設定されている第２の照度レベルとの比較を行う（ステップＳＴ5a）。その比較結果として、検出データの明るさが第２の照度レベルに到達したと子機制御回路１１０ａが判断すると、この子機制御回路１１０ａは、前述の光量の増加動作を停止して到達時の光量で保持することができる。これにより、照明灯１０２ａの駆動時における輝度バラツキが抑えられた状態で、来訪者等の人物の目に対する過度な刺激を与えることがない最適な光量が保持されることになる（ステップＳＴ6a）。
【００４１】
さらに、第１の子機１ａの照明灯１０２ａの駆動が開始された後のタイミングにおいて子機制御回路１１０ａにて比較される前述の検出データ及び第２の照度レベルのその結果として照明灯１０２ａの光量が増加しても第２の照度レベルに到達しない場合、これを検出した子機制御回路１１０ａは、照明灯１０２ａを構成するＬＥＤ１２０ａの点滅の周期ｆが予め設定された最大の光量となる点滅の周期ｆ２に到達したとき、到達時の光量で保持することができる（ステップＳＴ7a、ＳＴ8a、ＳＴ9a）。これにより、照明灯１０２ａの駆動時において、最大の光量よりも大きいような必要以上に大きな光量とせずに最適な光量で保持されるため、過多な電力消費が抑えられて省電力化が図られる。
【００４２】
なお、前述のような呼出報知をもとに来訪者による第１の子機１ａからの呼出しがあり、照明灯１０２ａの駆動時における輝度バラツキが抑えられた状態で明るさが確保された視認性の高い来訪者の映像（映像信号）を確認した居住者が親機２の親機操作部２００を使用して所定の応答操作を行うと、この操作を検出した親機制御回路２０７及び子機制御回路１１０ａの制御により、親機マイク２０２から親機音声処理回路２０５、親機Ｉ／Ｆ２０８、子機・親機ラインＬ、子機Ｉ／Ｆ１１１ａ、子機音声処理回路１０６ａを経由して子機スピーカ１０４ａへの信号伝送路と、子機マイク１０３ａから子機音声処理回路１０６ａ、子機Ｉ／Ｆ１１１ａ、子機・親機ラインＬ、親機Ｉ／Ｆ２０８、親機音声処理回路２０５、親機スピーカ２０３への信号伝送路とがそれぞれ形成され、形成された信号伝送路を経由して音声信号を送受信することにより、特に、居住者にとっては、視認性の高い来訪者の映像を確認しつつ、この来訪者との間の通話を成立させることができる。
【００４３】
次に、本発明の第２の実施例によるテレビドアホン装置の具体的な動作について、図１、図２及び図５（Ａ）、（Ｂ）、（Ｃ）を参照して説明するにあたって、当該装置が待受状態であり、例えば、夜間時等において、来訪者が居住者を呼出すにあたり第２の子機１ｂの子機操作部１００ｂを使用して所定の呼出操作を行った際の親機２の親機制御回路２０７の制御による呼出報知までの動作、親機制御回路２０７の制御による動作電源の供給動作については、本発明の第１の実施例の該当動作と同様であるため、その説明は省略するものとする。
【００４４】
第１の実施例と同様な動作電源が電源供給されると、第２の子機１ｂの子機制御回路１１０ｂの制御によってカメラ１０１ｂが能動となり、被写体である呼出操作を行った来訪者の映像（当該子機の周囲近傍の映像を含む。）の撮像が開始される（ステップＳＴ1b）。この映像は、子機映像処理回路１０５ｂ、子機Ｉ／Ｆ１１１ｂ、子機・親機ラインＬ、親機２の親機Ｉ／Ｆ２０８、親機映像処理回路２０４を経由してモニタ２０１に伝送されることにより、被写体である呼出操作を行った来訪者（当該子機の周囲近傍の映像を含む。）の映像のモニタ２０１への出画動作が開始されることになる。
【００４５】
また、前述のように第２の子機１ｂのカメラ１０１ｂが能動となると、このカメラ１０１ｂに内蔵された撮像素子として兼用されている照度検出回路１０７ｂにて被写体又は映像（映像信号）の明るさが検出される。その検出データをもとに、被写体又は映像信号の明るさが予め設定された第１の照度レベル未満であると子機制御回路１１０ｂが判断すると、この子機制御回路１１０ｂは、照明灯駆動回路１０８ｂを経由した照明灯１０２ｂへの駆動を開始し（ステップＳＴ2b、ＳＴ3b）、照明灯１０２ｂを構成するＬＥＤ１２０ｂの点消灯の周期を図５（Ａ）に示す周期でＰＷＭ駆動させ点消灯の周期を時間の経過に伴い変化するようにトランジスタ１２０ｂへの出力パルスを制御する。具体的には、図５（Ａ）、（Ｃ）に示すように、点消灯の周期を時間で表す消灯時間ｔ２と比較して短い点灯時間ｔ１の関係「ｔ２＞ｔ１、但し、ｔ１＋ｔ２＝一定」から、消灯時間ｔ２と比較して長い点灯時間ｔ１の関係「ｔ２＜ｔ１、但し、ｔ１＋ｔ２＝一定」の関係に移行されるように制御（デジタル制御）することにより、時間の経過に伴い照明灯１０２ｂの光量が増加される。一方、照度検出回路１０７ｂの検出データが第１の照度レベル以上であり、前述の来訪者による呼出時である夜間時とは異なる例えば、昼間時等の明るいレベルであると子機制御回路１１０ｂが判断した場合には、照明灯駆動回路１０８ｂは何ら動作せず、ゆえに照明灯１０２ｂは消灯のまま保持される（ステップＳＴ4b）。
【００４６】
また、第２の子機１ｂの子機制御回路１１０ｂは、照明灯１０２ｂの駆動が開始された後のタイミングにおいて、前述のように照度検出回路１０７ｂにて検出される被写体又は映像信号の明るさに係る検出データと、この明るさとの対比において第１の照度レベルよりも高く予め設定されている第２の照度レベルとの比較を行う（ステップＳＴ5b）。その比較結果として、検出データの明るさが第２の照度レベルに到達したと子機制御回路１１０ｂが判断すると、この子機制御回路１１０ｂは、前述の光量の増加動作を停止して到達時の光量で保持することができる。これにより、照明灯１０２ｂの駆動時における輝度バラツキが抑えられた状態で、来訪者等の人物の目に対する過度な刺激を与えることがない最適な光量が保持されることになる（ステップＳＴ6b）。
【００４７】
さらに、第２の子機１ｂの照明灯１０２ｂの駆動が開始された後のタイミングにおいて子機制御回路１１０ｂにて比較される前述の検出データ及び第２の照度レベルのその結果として照明灯１０２ｂの光量が増加しても第２の照度レベルに到達しない場合、これを検出した子機制御回路１１０ｂは、点消灯の周期を時間で表す点灯時間ｔ１及び消灯時間ｔ２の関係「ｔ１＝ｔ＋１、ｔ２＝ｔ２−１、ｔ１＋ｔ２＝一定」の消灯時間ｔ２が「ｔ２＝０」となるまでの間、前述の光量の増加動作に係る制御を継続し、最大の光量となる「ｔ２＝０」に到達したとき、到達時の光量で保持することができる（ステップＳＴ7b、ＳＴ8b、ＳＴ9b）。これにより、照明灯１０２ｂの駆動時において、最大の光量よりも大きいような必要以上に大きな光量とせずに最適な光量で保持されるため、過多な電力消費が抑えられて省電力化が図られる。
【００４８】
なお、前述のような呼出報知をもとに来訪者による第２の子機１ｂからの呼出しがあり、照明灯１０２ｂの駆動時における輝度バラツキが抑えられた状態で明るさが確保された視認性の高い来訪者の映像（映像信号）を確認した居住者が親機２の親機操作部２００を使用して所定の応答操作を行うと、この操作を検出した親機制御回路２０７及び子機制御回路１１０ｂの制御により、親機マイク２０２から親機音声処理回路２０５、親機Ｉ／Ｆ２０８、子機・親機ラインＬ、子機Ｉ／Ｆ１１１ｂ、子機音声処理回路１０６ｂを経由して子機スピーカ１０４ｂへの信号伝送路と、子機マイク１０３ｂから子機音声処理回路１０６ｂ、子機Ｉ／Ｆ１１１ｂ、子機・親機ラインＬ、親機Ｉ／Ｆ２０８、親機音声処理回路２０５、親機スピーカ２０３への信号伝送路とがそれぞれ形成され、形成された信号伝送路を経由して音声信号を送受信することにより、特に、居住者にとっては、視認性の高い来訪者の映像を確認しつつ、この来訪者との間の通話を成立させることができる。
【００４９】
次に、本発明の第３の実施例によるテレビドアホン装置の具体的な動作について、図１、図３及び図６（Ａ）、（Ｂ）、（Ｃ）を参照して説明するにあたって、当該装置が待受状態であり、例えば、夜間時等において、来訪者が居住者を呼出すにあたり第３の子機１ｃの子機操作部１００ｃを使用して所定の呼出操作を行った際の親機２の親機制御回路２０７の制御による呼出報知までの動作、親機制御回路２０７の制御による動作電源の供給動作については、本発明の第１（、第２）の実施例の該当動作と同様であるため、その説明は省略するものとする。
【００５０】
第１（、第２）の実施例と同様な動作電源が電源供給されると、第３の子機１ｃの子機制御回路１１０ｂの制御によってカメラ１０１ｂが能動となり、被写体である呼出操作を行った来訪者の映像（当該子機の周囲近傍の映像を含む。）の撮像が開始される（ステップＳＴ1c）。この映像は、子機映像処理回路１０５ｃ、子機Ｉ／Ｆ１１１ｃ、子機・親機ラインＬ、親機２の親機Ｉ／Ｆ２０８、親機映像処理回路２０４を経由してモニタ２０１に伝送されることにより、被写体である呼出操作を行った来訪者（当該子機の周囲近傍の映像を含む。）の映像のモニタ２０１への出画動作が開始されることになる。
【００５１】
また、前述のように第３の子機１ｃのカメラ１０１ｃが能動となると、このカメラ１０１ｃに内蔵された撮像素子として兼用されている照度検出回路１０７ｃにて被写体又は映像（映像信号）の明るさが検出される。その検出データをもとに、被写体又は映像信号の明るさが予め設定された第１の照度レベル未満であると子機制御回路１１０ｃが判断すると、この子機制御回路１１０ｃは、照明灯駆動回路１０８ｃを経由した照明灯１０２ｂへの駆動を開始し（ステップＳＴ2c、ＳＴ3c）、照明灯１０２ｃを構成するＬＥＤ１２０ｃの電圧振幅を、デジタルテーブルＴＢに予め記憶されている図６（Ａ）に示す周期でＰＡＭ駆動させ当該電圧振幅を時間の経過に伴い変化するようにトランジスタ１２０ｃへの出力パルスを制御する。具体的には、図６（Ａ）、（Ｃ）に示すように、デジタルテーブルＴＢに予め記憶されている時間の経過とともに大きくなる電圧振幅Ａｎ＝Ａ１、Ａ２、・・・Ａ３をもとに制御することにより、時間の経過に伴い照明灯１０２ｃの光量が増加される。一方、照度検出回路１０７ｃの検出データが第１の照度レベル以上であり、前述の来訪者による呼出時である夜間時とは異なる例えば、昼間時等の明るいレベルであると子機制御回路１１０ｃが判断した場合には、照明灯駆動回路１０８ｃは何ら動作せず、ゆえに照明灯１０２ｃは消灯のまま保持される（ステップＳＴ4c）。
【００５２】
また、第２の子機１ｃの子機制御回路１１０ｃは、電圧振幅Ａｎ＝Ａ１の照明灯１０２ｃの駆動が開始された後のタイミングにおいて、前述のように照度検出回路１０７ｃにて検出される被写体又は映像信号の明るさに係る検出データと、この明るさとの対比において第１の照度レベルよりも高く予め設定されている第２の照度レベルとの比較を行う（ステップＳＴ5c）。その比較結果として、検出データの明るさが第２の照度レベルに到達したと子機制御回路１１０ｃが判断すると、この子機制御回路１１０ｃは、前述の光量の増加動作を停止して到達時の光量、例えば、電圧振幅Ａｎ＝Ａ２による光量で保持することができる。これにより、照明灯１０２ｃの駆動時における輝度バラツキが抑えられた状態で、来訪者等の人物の目に対する過度な刺激を与えることがない最適な光量が保持されることになる（ステップＳＴ6c）。
【００５３】
さらに、第２の子機１ｃの照明灯１０２ｃの駆動が開始された後のタイミングにおいて子機制御回路１１０ｃにて比較される前述の検出データ及び第２の照度レベルのその結果として第２の照度レベル未満であると当該子機制御回路が判断すると、この子機制御回路１１０ｃは、デジタルテーブルＴＢに予め記憶されている「Ａｎ＝Ａｎ＋１＝Ａ３」となるまでの間、前述の光量の増加のための電圧振幅Ａｎの動作に係る制御を継続し、最大な光量となる電圧振幅Ａｎ＝Ａ３に到達したとき、到達時の光量で保持することができる（ステップＳＴ7c、ＳＴ8c、ＳＴ9c）。これにより、照明灯１０２ｃの駆動時において、最大の光量よりも大きいような必要以上に大きな光量とせずに最適な光量で保持されるため、過多な電力消費が抑えられて省電力化が図られる。
【００５４】
なお、前述のような呼出報知をもとに来訪者による第３の子機１ｃからの呼出しがあり、照明灯１０２ｃの駆動時における輝度バラツキが抑えられた状態で明るさが確保された視認性の高い来訪者の映像（映像信号）を確認した居住者が親機２の親機操作部２００を使用して所定の応答操作を行うと、この操作を検出した親機制御回路２０７及び子機制御回路１１０ｃの制御により、親機マイク２０２から親機音声処理回路２０５、親機Ｉ／Ｆ２０８、子機・親機ラインＬ、子機Ｉ／Ｆ１１１ｃ、子機音声処理回路１０６ｃを経由して子機スピーカ１０４ｃへの信号伝送路と、子機マイク１０３ｃから子機音声処理回路１０６ｃ、子機Ｉ／Ｆ１１１ｃ、子機・親機ラインＬ、親機Ｉ／Ｆ２０８、親機音声処理回路２０５、親機スピーカ２０３への信号伝送路とがそれぞれ形成され、形成された信号伝送路を経由して音声信号を送受信することにより、特に、居住者にとっては、視認性の高い来訪者の映像を確認しつつ、この来訪者との間の通話を成立させることができる。
【００５５】
以上の説明から明らかなように、本発明の第１乃至第３の実施例によれば、第１乃至第３の子機１ａ、１ｂ、１ｃのカメラ１０１ａ、１０１ｂ、１０１ｃにて撮像される映像の明るさを確保するために点灯される照明灯１０２ａ、１０２ｂ、１０２ｃの点滅の周期、点消灯の周期又は電圧振幅を、簡素かつ安価な回路構成を用いて時間の経過とともに制御することにより、当該照明灯の光量を可変させることができるため、照明灯１０２ａ、１０２ｂ、１０２ｃの駆動時における輝度バラツキによる来訪者等の人物の目に対する過度な刺激を抑えて最適な光量の確保が可能となることにより、カメラ１０１ａ、１０１ｂ、１０１ｃにて撮像される映像の視認性が高められるばかりでなく、必要以上に大きな光量とせずに最適な光量での保持が可能となるために過多な電力消費が抑えられて省電力化を図ることもできる。
【００５６】
本発明のテレビドアホン装置においては、特定の実施の形態をもって説明してきたが、この形態に限定されるものでなく、本発明の効果を奏する限り、これまで知られた如何なる構成の当該装置であっても採用できるということはいうまでもないことである。具体的には、第１乃至第３の子機１ａ、１ｂ、１ｃの照明灯１０２ａ、１０２ｂ、１０２ｃの光量を可変させる手段として、点滅の周期、点消灯の周期又は電圧振幅を制御したが、これらの手段に限定されるものではない。
【００５７】
また、本発明の実施例においては、第１乃至第３の子機１ａ、１ｂ、１ｃのカメラ１０１ａ、１０１ｂ、１０１ｃにて映像を撮像するタイミングとして、来訪者が子機操作部１００ａ、１００ｂ、１０１ｃを使用して呼出操作を行った呼出時を適用したが、このタイミングに限定されるものではない。例えば、居住者が住戸外の様子を親機２のモニタ２０１を使用して監視するにあたり、親機操作部２００を使用して所定の監視操作を行い、カメラ１０１ａ、１０１ｂ、１０１ｃにて監視映像を撮像する場合であっても同様な効果を奏することができる。
【００５８】
さらに、本発明の実施例においては、第１乃至第３の子機１ａ、１ｂ、１ｃに設けられる照度検出回路１０７ａ、１０７ｂ、１０７ｃを、カメラ１０１ａ、１０１ｂ、１０１ｃに内蔵される撮像素子として兼用させたが、この態様に限定されるものではない。例えば、カメラ１０１ａ、１０１ｂ、１０１ｃから独立して設けられる照度センサ等を適用した場合であっても同様な効果を奏することができる。
【符号の説明】
【００５９】
１ａ、１ｂ、１ｃ……第１乃至第３の子機
１０１ａ、１０１ｂ、１０１ｃ……カメラ
１０８ａ、１０８ｂ、１０８ｃ……照明灯駆動回路（光量制御部）
１１０ａ、１１０ｂ、１１０ｃ……子機制御回路（光量制御部）
２……親機
２０１……モニタ
ｆ１、ｆ２……（照明灯の）点滅の周期
ｔ１、ｔ２……（照明灯の）点消灯の周期
Ａ１、Ａ２、・・・Ａ３……（照明灯の）電圧振幅
【図１】
2012175609.tif 000003
【図２】
2012175609.tif 000004
【図３】
2012175609.tif 000005
【図４】
2012175609.tif 000006
【図５】
2012175609.tif 000007
【図６】
2012175609.tif 000008